(57)【要約】【課題】排稈中のささり籾を稈切れ等の発生を抑制しながら回収すると共に、扱胴の終端部に簡潔でコンパクトな構成にまとめて設置できる脱穀機のささり籾回収装置を提供する。【解決手段】扱胴２を回転可能に軸支した扱室２ａの扱口４に沿ってフィードチェン４ｂを張設すると共に、扱胴２の終端部に複数の回収歯３６を回転軸３０によって回転させるささり籾回収装置７を設け、上記フィードチェン４ｂで搬送される排稈中のささり籾を回収歯３６で掻き落とし回収する脱穀機１において、前記複数の回収歯３６を回転軸３０側から放射方向に突出せしめてスターホイル状の回転輪８にすると共に、回収歯３６の回収作用面を回転方向下手側に向けて後退する円弧面状に形成したささり籾回収装置にしている。【選択図】　　　　図２
2004041022.tif 000002
【特許請求の範囲】
【請求項１】
扱胴（２）を回転可能に軸支した扱室（２ａ）の扱口（４）に沿ってフィードチェン（４ｂ）を張設すると共に、扱胴（２）の終端部に複数の回収歯（３６）を回転軸（３０）によって回転させるささり籾回収装置（７）を設け、上記フィードチェン（４ｂ）で搬送される排稈中のささり籾を回収歯（３６）で掻き落とし回収する脱穀機（１）において、前記複数の回収歯（３６）を回転軸（３０）側から放射方向に突出せしめてスターホイル状の回転輪（８）にすると共に、回収歯（３６）の回収作用面を回転方向下手側に向けて後退する円弧面状に形成した脱穀機のささり籾回収装置。
【請求項２】
扱胴（２）の扱胴軸（１５）に支持した伝動ケース（２６）に、回転輪（８）を有する回転軸（３０）を駆動可能に軸支すると共に、伝動ケース（２６）の先端側を扱室（２ａ）から突設した支持部材（２７）によって、フィードチェン（４ｂ）に接続される排稈搬送体（５）の排稈搬送伝動機構（５ｃ）を迂回させて支持する請求項１記載の脱穀機のささり籾回収装置。
【発明の詳細な説明】
【０００１】
【発明の属する技術分野】
本発明は、脱穀機のささり籾回収装置に関する。
【０００２】
【従来の技術】
従来、扱胴を軸支した扱室から脱穀済の排稈をフィードチェンによって排出搬送するとき、扱室の終端部に設けたささり籾回収装置の回収歯によって、排稈中に残留するささり籾を回収するようにした脱穀機は、特開平９−１９１７５８号公報で示されるように既に知られている。
この公報で示されるささり籾回収装置は、扱胴の扱胴軸に設けた駆動スプロケットと従動スプロケットにチェンを巻き掛け、このチェンに複数の回収歯を突設し回転させることによって、各回収歯で排稈中のささり籾の回収を行うようにしている。
【０００３】
【発明が解決しようとする課題】
上記公報で示されるような構成のささり籾回収装置は、扱胴軸側の駆動スプロケットとフィードチェン側に近接位置する従動スプロケットに巻き掛けるチェンが長くなると共に、該チェンに取付ける回収歯の本数も多く必要とし、回収歯が排稈中に侵入して回転するとき、回収歯を介してチェンが外れ方向の力を受けるので、これを防止するためのチェン張り支持構造等の構成が複雑でコスト高になる等の欠点がある。
またチェンに設けられる回収歯は何れも短く、チェンに対し略直交状態の起立姿勢で取着されているので、この回収歯が排稈中で突入回動するとき大きな接触抵抗を伴い、フィードチェンで挟持搬送している排稈の引き抜きや稈切れを生じたり、藁稈が回収歯に巻き付き易い等の問題がある。
【０００４】
【課題を解決するための手段】
上記課題を解決するために本発明による脱穀機のささり籾回収装置は、第１に、扱胴２を回転可能に軸支した扱室２ａの扱口４に沿ってフィードチェン４ｂを張設すると共に、扱胴２の終端部に複数の回収歯３６を回転軸３０によって回転させるささり籾回収装置７を設け、上記フィードチェン４ｂで搬送される排稈中のささり籾を回収歯３６で掻き落とし回収する脱穀機１において、前記複数の回収歯３６を回転軸３０側から放射方向に突出せしめてスターホイル状の回転輪８にすると共に、回収歯３６の回収作用面を回転方向下手側に向けて後退する円弧面状に形成したことを特徴としている。
【０００５】
第２に、扱胴２の扱胴軸１５に支持した伝動ケース２６に、回転輪８を有する回転軸３０を駆動可能に軸支すると共に、伝動ケース２６の先端側を扱室２ａから突設した支持部材２７によって、フィードチェン４ｂに接続される排稈搬送体５の排稈搬送伝動機構５ｃを迂回させて支持することを特徴としている。
【０００６】
【発明の実施の形態】
本発明の一実施形態を図面に基づいて説明する。図１，図２において符号１はコンバイン等に搭載される脱穀機を示し、この脱穀機１の機体１ａは、扱胴２を回転可能に軸支し扱室２ａを形成する上部ケース部１ｂを、受網２ｃ及び揺動選別体２ｂ並びに処理胴２ｄを内装する処理室２ｅ等を備えた下部ケース１ｃに対し、機体一側（穀稈供給穂先側）に設けた支持軸３を支点に、図２の実線で示す作業姿勢から、点線で示される上方に開動させたメンテナンス姿勢に切換回動可能となるように構成している。
尚、受網２ｃは扱胴２に植設された扱歯２ｆの回転軌跡に沿って張設されて扱室２ａ形成し、その終端部を処理室２ｅと連通させている。
【０００７】
また脱穀機１の作業姿勢において、上部ケース部１ｂと下部ケース１ｃの株元側間で形成される扱口４には、上部ケース部１ｂ側に設けた挟持レール４ａと下部ケース１ｃ側に張設したフィードチェン４ｂを対設して扱口搬送装置４ｃを沿設し、刈り取り穀稈を挟持搬送して扱室２ａ内に供給し、扱胴２による脱穀を行うと共に、脱穀済の穀稈（以下排稈と言う）を扱口搬送装置４ｃの終端部に設けた排稈搬送体５と補助搬送体５ａに継送させ、その終端側に設けられるカッタ装置等からなる排稈処理装置５ｂに向けて排出搬送をする。
【０００８】
また扱室２ａの終端部後方で下部ケース１ｃに形成される４番口６には、扱室２ａから排出される排稈中に残留するささり籾や扱残し籾等（以下ささり籾と言う）を除去して回収するささり籾回収装置７を設け、後述するスターホイル状のの回転輪８の回転によって排稈中のささり籾を掻き落とし４番口６内に回収することにより、ささり籾を含まない排稈を前記排稈搬送体５に継送させて排出搬送をスムースに行うようにしている。
【０００９】
次に、上記排稈搬送体５及びささり籾回収装置７の支持並びに伝動構成等について説明する。図１で示されるように排稈搬送体５は、扱室２ａから後方に延長した前記支持軸３の軸部に回動可能に枢支した複数の支持杆１０によって、作業姿勢において略水平姿勢となるように支持すると共に、該支持杆１０の中途を上部ケース部１ｂの出口側板１１から突設した支持杆１２によって補強支持している。
そして、排稈搬送体５はその駆動スプロケット１６の伝動を、扱胴２の扱胴軸１５から出口側板１１の後側面に近接させて設けた排稈搬送伝動機構５ｃを介して行なうようにしている。
【００１０】
即ち、扱胴軸１５は図示しないエンジン側からベルト伝動機構１７を介して回転される扱胴軸１５の後部側に設けた駆動プーリ２０と、駆動スプロケット１６の伝動軸２１に設けた入力プーリ２２に、ベルト２３を出口側板１１に沿わせて巻き掛けた構成にしている。
この際、排稈搬送体５の終端部は支持軸３の近傍迄に位置させており、下部ケース１ｃ側に固定姿勢で支持される補助排稈搬送体５ａに対し、排稈を継送させるようにしている。尚、補助排稈搬送体５ａは上記支持軸３から後方内側に向けて屈曲形成した支持杆部３ａで支持すると共に、その駆動スプロケット１６ａを別のベルト伝動機構２５によって伝動している。
【００１１】
次に、図１，図３を参照しささり籾回収装置７について説明する。前記回転輪８を軸支伝動する伝動ケース２６は、その基部側を扱胴軸１５にメタル部を介して軸支した状態で、先端側を上部ケース部１ｂの出口側板１１から、排稈搬送伝動機構５ｃを越えて後方側に向けて突設した支持部材２７に、取付ネジ２９によって着脱可能に取付支持している。
上記伝動ケース２６は、先端側で上記排稈搬送伝動機構５ｃに近接させた位置に回転輪８を支持する回転軸３０をメタル部を介して回転可能に軸支すると共に、回転軸３０の後端側にホイルスプロケット３１を設け、該ホイルスプロケット３１と扱胴軸１５に設けた駆動スプロケット３２に伝動チェン３３を張設し、この伝動部をケースカバー３５によって開閉可能に覆っている。
【００１２】
この構成において、図示例の回転輪８は円板状部材をプレスによる打ち抜き加工手段によって、複数本（図示例では４本）の回収歯３６を単一の板状体からなるスターホイル状に簡単に形成できるようにしており、このとき個々の回収歯３６は下向き回転方向（図３の矢印）に対し、その回収作用面を回転軸３０側から滑らかに後退する長い円弧面とし、歯巾を巾狭形状で疎間隔に突出している。
また、回転輪８の回転径は、前記フィードチェン４ｂに近接する位置から扱胴軸１５に至る大きさにし、且つその下方側の回転軌跡を前記４番口６の４番流板３７の下向き斜面に近接させている。
【００１３】
これにより、ささり籾回収装置７の回転輪８は、扱口搬送装置４ｃで挟持搬送されて扱室２ａから後方に送り出される排稈の穀稈層に対し、下向き回転する回収歯３６を深く差し込んだ侵入状態にしながら、後退円弧面の歯形状によって大きな回収抵抗（回転抵抗）や回収歯３６への排稈の巻き付き等を伴うことなく、ささり回収作業を的確に行なう。
この際、ささり籾回収装置７は支持部材２７に対し長孔等によって伝動ケース２６を扱胴軸１５を中心に上下方向の取付位置調節可能に支持すると、排稈の穀稈層に対し回収歯３６の突入量（梳き込み量）を適宜変更することができる。
【００１４】
以上のように構成したささり籾回収装置７を備えた脱穀機１は、扱口搬送装置４ｃで挟持搬送された穀稈が扱室２ａ内で扱胴２により脱穀され、脱穀済の排稈がその終端から扱室２ａ外に排出されて４番口６に至ると、ここで上方から下向き回転する回転輪８によって、排稈中のささり籾が掻き落とされ、４番口６を経て下部ケース１ｃの選別室内に回収されると共に、ささり籾が除去された排稈は排稈搬送体５及び補助排稈搬送体５ａによって、排稈処理装置５ｂに向けて排出搬送される。
【００１５】
このとき、扱胴２の終端部に設けたささり籾回収装置７は、複数の回収歯３６を回転軸３０側から放射方向に疎間隔に突出することによりスターホイル状の回転輪８にすると共に、各回収歯３６の回収作用面を回転方向下手側に向けて後退する長い滑らかな円弧面状に形成しているから、回転軸３０を中心に放射方向に後退角を有し長く滑らかで疎間隔に突出することにより巾挟に形成された各回収歯３６は、挟持搬送される排稈中に深く連続的に突入する。
【００１６】
このとき、回収歯３６は円弧状の回収作用面によって排稈との急激な接触抵抗を逃しながら大きな抵抗なく回転するので、フィードチェン４ｂによる挟持搬送を妨げたり排稈抜けを生じたりすることなく、排稈の株元側に混在するささり籾を的確に下方に掻き落とし、４番口６を介して下方の揺動選別体２ｂ側に回収させると共に、回収歯３６は排稈に対しその株元側から穂先部側へと滑らかに接触するので、突入回転する際に稈切れ等の発生を可及的に防止し、また排稈に整梳作用を付与して以後の排稈搬送体５による搬送を整然と行なわしめる。
【００１７】
また、ささり籾回収装置７は、単一なスターホイル状の回転輪８を回転軸３０に設け扱胴２の終端部で回転させてささり籾の回収をさせるので、フィードチェン４ｂと排稈搬送体５との継送部において、４番口６上に簡潔でコンパクトな構成にまとめて設置することができる等の特徴がある。
【００１８】
また上記回転輪８は、扱胴２の扱胴軸１５に設けた伝動ケース２６を介して駆動可能に支持すると共に、該伝動ケース２６の回転輪８側を、扱室２ａから突設した支持部材２７によって、フィードチェン４ｂに接続される排稈搬送体５の排稈搬送伝動機構５ｃを迂回させて支持するようにしたことにより、扱室２ａの後方で４番口６上において排稈搬送伝動機構５ｃを出口側板１１に近接し沿わせた状態で、この排稈搬送伝動機構５ｃの後側にささり籾回収装置７を安定よく支持すると共に、４番口６上に排稈の搬送を妨げることなくコンパクトに設置することができる。
【００１９】
そして、伝動ケース２６の基部側を扱胴軸１５に支持し、先端部側を上部ケース部１ｂの出口側板１１から延設した支持部材２７で支持したささり籾回収装置７は、排稈搬送伝動機構５ｃを迂回させた支持構造を簡潔な剛体枠構成にすることができると共に、ささり籾回収装置７を上部ケース部１ｂと共に支持軸３を支点に一体的に上方に回動せしめて、４番口６上を広く開放しメンテナンス作業を行い易くすることができる等の特徴がある。
尚、図示例では１枚の回転輪８を回転軸３０に設けたが、これに限定されることなく、例えば回転軸３０の前後端に複数の回転輪８を設け、この両回転輪８に突設する回収歯を回転方向に位相を変えて形成するようにしてもよい。
【００２０】
【発明の効果】
本発明は以上説明したように構成された脱穀機のささり籾回収装置にしているので、以下に記載するような効果を奏する。
扱胴を回転可能に軸支した扱室の扱口に沿ってフィードチェンを張設すると共に、扱胴の終端部に複数の回収歯を回転軸によって回転させるささり籾回収装置を設け、上記フィードチェンで搬送される排稈中のささり籾を回収歯で掻き落とし回収する脱穀機において、前記複数の回収歯を回転軸側から放射方向に突出せしめてスターホイル状の回転輪にすると共に、回収歯の回収作用面を回転方向下手側に向けて後退する円弧面状に形成したことにより、回収歯は円弧状の回収作用面によって排稈の接触抵抗を逃しながら回転するので、排稈中に混在するささり籾を下方に掻き落とし回収させると共に、回収歯は排稈の基部側から先端部側へと滑らかに突入回転するので、稈切れ等の発生を抑制しながら排稈に整梳作用を付与して挟持搬送を整然と行なわしめる。
【００２１】
また、扱胴の扱胴軸に支持した伝動ケースに、回転輪を有する回転軸を駆動可能に軸支すると共に、伝動ケースの先端側を扱室から突設した支持部材によって、フィードチェンに接続される排稈搬送体の排稈搬送伝動機構を迂回させて支持するようにしたことにより、扱室の後方において単一なスターホイル状の回転輪を回転させてささり籾の回収をさせるので、ささり籾回収装置を簡潔でコンパクトな構成にまとめて設置できると共に、排稈搬送体の排稈搬送伝動機構を迂回させた状態で、扱胴軸と支持部材によってささり籾回収装置を安定よく支持することができる。
【図面の簡単な説明】
【図１】本発明に係わるささり籾回収装置を備えた脱穀機の構成を示す破断平面図。
【図２】図１の要部の構成を示す後面図。
【図３】図２のささり籾回収装置の構成を一部破断をして示す後面図。
【符号の説明】
１　　脱穀機
２　　扱胴
２ａ　扱室
４　　扱口
４ｂ　フィードチェン
４ｃ　扱口搬送装置
５　　排稈搬送体
５ｃ　排稈搬送伝動機構
６　　４番口
７　　ささり籾回収装置
８　　回転輪（スターホイル）
２６　　伝動ケース
２７　　支持部材
３０　　回転軸
３６　　回収歯
【図１】
2004041022.tif 000003
【図２】
2004041022.tif 000004
【図３】
2004041022.tif 000005